(57)【要約】【課題】コストをかけることなく、高い駆動周波数で圧電素子を駆動させる。【解決手段】波形発生回路７１は、大滴吐出波形Ｚ３及び小滴吐出波形Ｚ１を含む複合標準波形と、大滴吐出波形Ｚ３及び微振動駆動波形Ｚ０を含む複合予備波形を交互に発生する。圧電素子Ａ、Ｂ、Ｃ、Ｄは、波形発生回路７１で発生された複合標準波形又は複合予備波形に基づいて駆動される。これにより、圧電素子Ａ、Ｂ、Ｃ、Ｄにそれぞれ対応するインク収容部５４からインク滴が吐出される。【選択図】図５
2008179092.tif 000002
【特許請求の範囲】
【請求項１】
液体が収容された収容部を減圧あるいは加圧する圧電素子と、
各印字周期のうちの所定の印字周期に、前記収容部に接続されたノズルから液滴を吐出させることなく圧電素子を微振動させる微振動波形を含む予備波形発生し、各印字周期のうちの他の印字周期に、前記収容部からノズルを介して液滴を吐出させるための吐出波形を含む標準波形を発生し、発生した波形を前記圧電素子に供給する波形発生手段と、
を備えた液滴吐出装置。
【請求項２】
前記波形発生手段は、１つ以上の吐出波形を含む予備波形を発生すると共に、前記１つ以上の吐出波形を含みかつ前記予備波形と異なる波形である標準波形を発生する
請求項１に記載の液滴吐出装置。
【請求項３】
前記微振動波形は前記吐出波形よりも短く設定された周期を有する
請求項２に記載の液滴吐出装置。
【請求項４】
前記波形発生手段は、最大滴を形成するための標準波形を発生する
請求項１から請求項３のいずれか１項に記載の液滴吐出装置。
【請求項５】
前記波形発生手段は、不吐出ノズルから吐出されるはずの液滴の大きさの一部を覆うように、当該不吐出ノズルに隣接するノズルから吐出される液滴の大きさを制御するための標準波形を発生する
請求項１から請求項３のいずれか１項に記載の液滴吐出装置。
【請求項６】
前記液滴としてインク滴を吐出することにより記録媒体に画像を形成する請求項１から５のいずれか１項に記載の液滴吐出装置と、
前記記録媒体を搬送する搬送手段と、
前記液滴吐出装置および搬送手段を制御する制御手段と、
を備えた画像形成装置。
【発明の詳細な説明】
【技術分野】
【０００１】
本発明は、液滴吐出装置及び画像形成装置に関する。
【背景技術】
【０００２】
従来、印字信号を圧電素子に印加して圧電素子を伸長させ、このときに発生するインクの動圧によりノズルからインク滴を吐出させて印刷用紙にドットを形成するインクジェットプリンタが知られている。
【０００３】
インクジェットプリンタにおいては、インクの非吐出時間が続くと、ノズル近傍でインクが増粘する。このため、インクの非吐出後に吐出動作を実行すると、インク吐出特性（吐出滴量、吐出速度）が変化し、印字画質に悪影響を与える。さらには、インク増粘が大きい場合、不吐出となり、画像欠陥となる。
【０００４】
これを防止するために、非印字状態においてはアクチュエータを液体が吐出しない程度に駆動する事により、ノズル近傍の液体を攪拌し、ノズル近傍の液体の増粘を低減する方法が提案されている。
【０００５】
特に、この微振動をアクチュエータに印加する方法として、（１）吐出波形とは別系統で微振動を形成して、印字命令により吐出波形と微振動を切り替えて使用する方法、及び（２）１印字周期内に吐出波形と微振動を組み合わせた波形を形成し、印字命令によりこの波形の中から波形を選択して使用する方法が提案され実施されている。
【０００６】
（１）の技術としては、記録速度を向上させ、かつ階調数が多くなっても記録時間を延長することなく、高品質な記録を実現するインクジェット記録ヘッドの駆動方法及び駆動装置が開示されている（例えば特許文献１参照。）。
【０００７】
（２）の技術としては、記録紙上のドット径を可変にして、印刷時間を低下させることなく高品位の階調印刷を実現するインクジェット式プリントヘッドの駆動装置及び駆動方法が開示されている（例えば特許文献２参照。）。
【特許文献１】特開２００１−２６１０２号公報
【特許文献２】特開平１１−８１０１２号公報
【発明の開示】
【発明が解決しようとする課題】
【０００８】
しかしながら、特許文献１の技術は、同文献の図１に示すように、複数のスイッチ３７1a〜３７4c、波形選択回路３６、複数の波形を生成するためのアンプである波形発生回路３５ａ〜３５ｃを必要とするので、駆動系のコストが高くなるという問題がある。
【０００９】
また、特許文献２の技術は、特許文献１と異なり、駆動系のコストは高くならない。しかし、同文献の図２に示すように、１印字周期で４つのパルスを必要とするため、１印字周期を形成する波形が長くなり、駆動周波数を高くすることができない、という問題がある。
【００１０】
本発明は、本発明の構成を備えないものに比べて、コストをかけることなく、高い駆動周波数で圧電素子を駆動させることができる液滴吐出装置及び画像形成装置を提供することを目的とする。
【課題を解決するための手段】
【００１１】
請求項１の発明は、液体が収容された収容部を減圧あるいは加圧する圧電素子と、各印字周期のうちの所定の印字周期に、前記収容部に接続されたノズルから液滴を吐出させることなく圧電素子を微振動させる微振動波形を含む予備波形発生し、各印字周期のうちの他の印字周期に、前記収容部からノズルを介して液滴を吐出させるための吐出波形を含む標準波形を発生し、発生した波形を前記圧電素子に供給する波形発生手段と、を備えた液滴吐出装置である。
【００１２】
請求項２の発明は、請求項１に記載の液滴吐出装置であって、前記波形発生手段は、１つ以上の吐出波形を含む予備波形を発生すると共に、前記１つ以上の吐出波形を含みかつ前記予備波形と異なる波形である標準波形を発生する。
【００１３】
請求項３の発明は、請求項２に記載の液滴吐出装置であって、前記微振動波形は前記吐出波形よりも短く設定された周期を有する。
【００１４】
請求項４の発明は、請求項１から請求項３のいずれか１項に記載の液滴吐出装置であって、前記波形発生手段は、最大滴を形成するための標準波形を発生する。
【００１５】
請求項５の発明は、請求項１から請求項３のいずれか１項に記載の液滴吐出装置であって、前記波形発生手段は、不吐出ノズルから吐出されるはずの液滴の大きさの一部を覆うように、当該不吐出ノズルに隣接するノズルから吐出される液滴の大きさを制御するための標準波形を発生する。
【００１６】
請求項６の発明は、前記液滴としてインク滴を吐出することにより記録媒体に画像を形成する請求項１から５のいずれか１項に記載の液滴吐出装置と、前記記録媒体を搬送する搬送手段と、前記液滴吐出装置および搬送手段を制御する制御手段と、を備えた画像形成装置である。
【発明の効果】
【００１７】
請求項１の発明によれば、圧電素子を駆動させるために必要最小限の長さの波形で済むので、本発明の構成がない場合に比べて、コストをかけることなく、駆動周波数を高くして、吐出される液滴により形成される画像の品質を維持することができる。
【００１８】
請求項２の発明によれば、予備波形及び標準波形が１つ以上の吐出波形を含む場合であっても、圧電素子を駆動させるために必要最小限の長さの波形で済ますことができる。
【００１９】
請求項３の発明によれば、圧電素子を駆動させるための波形の長さを短くして、駆動周波数の低下を抑制することができる。
【００２０】
請求項４の発明によれば、標準波形に基づいて大きな液滴を形成することができる。
【００２１】
請求項５の発明によれば、不吐出ノズルの影響を抑制して、液滴により形成される画像の品質を維持することができる。
【００２２】
請求項６の発明によれば、品質の低下を抑制しつつ画像を形成することができる。
【発明を実施するための最良の形態】
【００２３】
以下、本発明の好ましい実施の形態について図面を参照しながら詳細に説明する。
【００２４】
［第１の実施形態］
図１は、本発明に係る第１の実施形態のインク噴射記録装置１２を備えた画像形成装置の構成を示す図である。
【００２５】
同図に示すように、インク噴射記録装置１２の筐体１４内の下部には給紙収納部１６が備えられており、給紙収納部１６内に積層された記録用紙Ｐをピックアップロール１８で１枚ずつ取り出すことができる。取り出された記録用紙Ｐは、所定の搬送経路２２を構成する複数の搬送ローラ対２０で搬送される。
【００２６】
給紙収納部１６の上方には、駆動ロール２４及び従動ロール２６に張架された無端状の搬送ベルト２８が配置されている。搬送ベルト２８の上方には記録ヘッド装置部３０が配置されており、搬送ベルト２８の平坦部分２８Ｆに対向している。この対向した領域が、記録ヘッド装置部３０からインク滴が吐出される吐出領域ＳＥとなっている。
【００２７】
搬送経路２２を搬送された記録用紙Ｐは、搬送ベルト２８で保持されてこの吐出領域ＳＥに至り、記録ヘッド装置部３０に対向した状態で、記録ヘッド装置部３０から画像情報に応じたインク滴が付着する。
【００２８】
記録ヘッド装置部３０は、有効な記録領域が記録用紙Ｐの幅以上の長尺状とされ、イエロー（Ｙ）、マゼンタ（Ｍ）、シアン（Ｃ）、及びブラック（Ｋ）の４色それぞれに対応した４つのインク噴射記録ヘッド部３２が搬送方向に並んで配置されており、フルカラーの画像を記録可能になっている。
【００２９】
また、各インク噴射記録ヘッド部３２にインクを供給するために、インクを予め収容したインク収容部５４がインク噴射記録装置１２の筐体１４内の上部に設けられている。
【００３０】
記録ヘッド装置部３０は、搬送方向と交差する方向に不動とされていてもよいが、必要に応じて移動するように構成しておくと、マルチパスによる画像記録で、より解像度の高い画像を記録し、又はインク噴射記録ヘッド部３２の不具合を記録結果に反映させないようにできる。
【００３１】
また、記録ヘッド装置部３０の両側には、それぞれのインク噴射記録ヘッド部３２に対応した４つのメンテナンスユニット３４が配置されている。インク噴射記録ヘッド部３２に対してメンテナンスを行う場合には、図２に示すように、記録ヘッド装置部３０が上方へ移動し、搬送ベルト２８との間に構成された間隙にメンテナンスユニット３４が移動して入り込む。そして、ノズル面１１４Ｎに対向した状態で、所定のタイミングで、吸引、予備吐出、キャッピング、及び弾性ブレードを有するワイパー２３０によるノズル面１１４Ｎの拭き取り等のメンテナンス動作を行う。
【００３２】
図３は、帯電ロール３６を示す図である。同図に示すように、記録ヘッド装置部３０の上流側には、電源３８が接続された帯電ロール３６が配置されている。帯電ロール３６は、従動ロール２６との間で搬送ベルト２８及び記録用紙Ｐを挟みつつ従動し、記録用紙Ｐを搬送ベルト２８に押圧する押圧位置と、搬送ベルト２８から離間した離間位置との間を移動可能とされている。押圧位置では、接地された従動ロール２６との間に所定の電位差が生じるため、記録用紙Ｐに電荷を与えて搬送ベルト２８に静電吸着させることができる。
【００３３】
記録ヘッド装置部３０の下流側には、剥離プレート４０が配置されており、記録用紙Ｐを搬送ベルト２８から剥離させる。剥離された記録用紙Ｐは、剥離プレート４０の下流側で排出経路４４を構成する複数の排出ローラ対４２で搬送され、筐体１４の上部に設けられた排紙収納部４６に排出される。
【００３４】
図４は、インク収容部５４の周辺部の構成を示す図である。インク収容部５４には、たとえばシアン、マゼンタもしくはイエローのいずれかの色からなるインクが収容されている。インク収容部５４は、導管１０２を介して、ノズル１０３に接続されている。
【００３５】
導管１０２の下側には圧電素子Ｐが振動板１０５を介して配置されている。圧電素子Ｐは、駆動波形が供給されること矢印Ａ方向に変位する。このとき、インク収容部５４に対して圧力が加えられ、ノズル１０３からインクの液滴が吐出される。
【００３６】
図５は、インク噴射記録ヘッド部３２の構成を示す回路図である。インク噴射記録ヘッド部３２は、複数のインク収容部５４に対してそれぞれ加圧又は減圧させる圧電素子Ａ〜Ｄと、スイッチ素子ＳＷ１〜ＳＷ４と、駆動波形を発生する波形発生回路７１と、各スイッチ素子ＳＷがオン又はオフになるように制御するスイッチ制御回路８１と、を備えている。
【００３７】
圧電素子Ａの一方側の端子は、スイッチ素子ＳＷ１を介して、波形発生回路７１に接続されている。圧電素子Ａの他方側の端子は接地されている。圧電素子Ｂの一方側の端子は、スイッチ素子ＳＷ２を介して、波形発生回路７１に接続されている。圧電素子Ｂの他方側の端子は接地されている。圧電素子Ｃの一方側の端子は、スイッチ素子ＳＷ３を介して、波形発生回路７１に接続されている。圧電素子Ｃの他方側の端子は接地されている。圧電素子Ｄの一方側の端子は、スイッチ素子ＳＷ４を介して、波形発生回路７１に接続されている。圧電素子Ｄの他方側の端子は接地されている。スイッチ制御回路８１は、印字命令に基づいて、スイッチ素子ＳＷ１〜ＳＷ４をそれぞれ独立にオン又はオフに制御する。
【００３８】
波形発生回路７１は、１印字周期で、微振動駆動波形、小滴吐出波形、大滴吐出波形の中から任意の２つを組み合わせた駆動波形を発生する。
【００３９】
図６は、（Ａ）微振動駆動波形Ｚ０、（Ｂ）小滴吐出波形Ｚ１、（Ｃ）大滴吐出波形Ｚ３を示す図である。微振動駆動波形Ｚ０は、ノズル１０３からインクを吐出させることなく、ノズル１０３内のインクを攪拌させるための予備波形である。小滴吐出波形Ｚ１と大滴吐出波形Ｚ３はインクの吐出量が異なっており、小滴吐出波形Ｚ１は小滴を形成するための駆動波形であり、大滴吐出波形Ｚ３は大滴を形成するための駆動波形である。
【００４０】
微振動駆動波形Ｚ０、小滴吐出波形Ｚ１、大滴吐出波形Ｚ３のそれぞれの周期は、図６に示すように、6.5(＝4.5＋2.0)μs、9.0(＝4.5＋4.5)μs、9.0(＝4.5＋4.5)μｓである。したがって、微振動駆動波形Ｚ０の周期は、小滴吐出波形Ｚ１及び大滴吐出波形Ｚ３の周期よりも短くなっている。
【００４１】
図７は、波形発生回路７１により１印字周期毎に発生される駆動波形を示す図である。同図に示すように、波形発生回路７１は、複合標準波形と複合予備波形を交互に発生する。ここで、複合標準波形とは、大滴吐出波形Ｚ３及び小滴吐出波形Ｚ１を含む波形をいう。複合予備波形とは、大滴吐出波形Ｚ３及び微振動駆動波形Ｚ０を含む波形をいう。
【００４２】
このように、複合予備波形は、複合標準波形の小滴吐出波形Ｚ１を微振動駆動波形Ｚ０に変更したものである。換言すると、複合予備波形は、大滴を吐出させるための波形の一部を微振動駆動波形Ｚ０に変更したものである。また、微振動駆動波形Ｚ０の周期は小滴吐出波形Ｚ１の周期よりも短いので、複合予備波形の周期は複合標準波形の周期よりも短くなっている。
【００４３】
そして、圧電素子Ａ、Ｂ、Ｃ、Ｄは、波形発生回路７１で発生された複合標準波形又は複合予備波形に基づいて駆動される。これにより、圧電素子Ａ、Ｂ、Ｃ、Ｄにそれぞれ対応するインク収容部５４からインク滴が吐出される。
【００４４】
図８は、従来の均一の駆動波形により圧電素子が駆動されたときの液滴の大きさを示す図である。図９は、本実施形態に係る駆動波形により圧電素子が駆動されたときの液滴の大きさを示す図である。
【００４５】
図８によると、従来の場合、ノズルＡ〜Ｅから吐出された液滴の大きさは均一になっている。これに対して、図９に示すように、本実施形態では、ノズルＡ〜Ｅから吐出された液滴の大きさは、大きいものと小さいものとが交互になっている。なお、大きい液滴は複合標準波形によって圧電素子が駆動されたとき、小さい液滴は複合予備波形よって圧電素子が駆動されたときのものである。
【００４６】
すなわち、本実施形態では、図５に示すスイッチ制御回路８１は、隣り合うノズルに対応する圧電素子に供給される複合波形と異なる複合波形が供給されるように、各スイッチ素子を制御する。また、スイッチ制御回路８１は、同一の圧電素子に対して１印字周期毎に異なる複合波形が供給されるように、当該圧電素子に対応するスイッチ素子ＳＷを制御する。
【００４７】
このように第１の実施形態では、複合標準波形は、最大滴を形成するための波形又はその波形の一部として使用することができる。また、複合標準波形及び複合予備波形を切り換えるタイミングは、図９に示すように、隣接するノズル同士で異なる場所に印字されるようなタイミングになっている。
【００４８】
また、複合標準波形は１印字周期内に微振動駆動波形Ｚ０を含まず、複合予備波形は１印字周期内に微振動駆動波形Ｚ０を含んでいることから、波形の長さを最小限に短くでき、駆動周波数を高くすることができる。
【００４９】
以上のように、第１の実施形態に係る画像形成装置は、２回の１回の割合の１印字周期で微振動駆動波形Ｚ０を含む複合予備波形を用いることにより、印字品位を落とすことなく、画像を形成することができる。なお、画像形成装置は、２回の１回の割合に限らず所定の割合で、印字品位を落とさない範囲内で、微振動駆動波形Ｚ０を含む複合予備波形を用いてもよい。
【００５０】
［第２の実施形態］
つぎに、本発明の第２の実施形態について説明する。なお、第１の実施形態と同一の部位には同一の符号を付し、主に異なる部位について説明する。
【００５１】
第２の実施形態に係るインク噴射記録ヘッド部３２は図５と同じ構成である。但し、波形発生回路７１は、第１の実施形態と異なり、次のような波形を生成する。
【００５２】
図１０は、（Ａ）微振動駆動波形、（Ｂ）小滴吐出波形、（Ｃ）中滴吐出波形、（Ｄ）大滴吐出波形を示す図である。中滴吐出波形は、２つの連続した小滴吐出波形により構成されている。大滴吐出波形は、３つの連続した小滴吐出波形により構成されている。ここでは、大滴吐出波形を「複合標準波形」とする。また、この複合標準波形の最後の小滴吐出波形を微振動駆動波形と入れ替えた波形を「複合予備波形」とする。
【００５３】
図１１は、波形発生回路７１により１印字周期毎に発生される駆動波形を示す図である。同図に示すように、波形発生回路７１は、複合標準波形と複合予備波形を交互に発生する。
【００５４】
また、複合標準波形は１印字周期内に微振動駆動波形Ｚ０を含まず、複合予備波形は１印字周期内に微振動駆動波形Ｚ０を含んでいることから、波形の長さを最小限に短くでき、駆動周波数を高くすることができる。
【００５５】
以上のように、第２の実施形態に係る画像形成装置は、２回のうち１回の割合の１印字周期において、微振動駆動波形Ｚ０を含む複合予備波形を用いることにより、印字品位を落とすことなく、画像を形成することができる。また、上記画像形成装置は、複合標準波形と複合予備波形の出現回数の割合を２：１又は３：１にすることにより、印字品位を更に改善することができる。なお、上記の出現回数は、印字品位が低下しない範囲内で変更可能である。
【００５６】
［第３の実施形態］
つぎに、本発明の第３の実施形態について説明する。なお、第１の実施形態と同一の部位には同一の符号を付し、主に異なる部位について説明する。
【００５７】
第３の実施形態に係るインク噴射記録ヘッド部３２は図５と同じ構成である。但し、波形発生回路７１は、第１及び第２の実施形態と異なり、次のような波形を生成する。
【００５８】
図１２は、（Ａ）微振動駆動波形、（Ｂ）普通滴吐出波形、（Ｃ）レスキュー滴吐出波形を示す図である。微振動駆動波形、普通滴吐出波形、レスキュー滴吐出波形のそれぞれの周期は、図１２に示すように、6.5(＝4.5＋2.0)μs、10.0(＝4.5＋4.5＋1.0)μs、11.0(＝4.5＋4.5＋2.0)μｓである。したがって、微振動駆動波形の周期は、普通滴吐出波形及びレスキュー滴吐出波形の周期よりも短くなっている。なお、レスキュー滴とは、不吐出ノズルから吐出されるはずの液滴の一部を覆うような大きさ滴をいう。
【００５９】
以下では、普通滴吐出波形及びレスキュー滴吐出波で構成される波形を「複合標準波形」とする。また、複合標準波形のレスキュー滴を微振動駆動波形に変更したものを「複合予備波形」とする。
【００６０】
図１３は、波形発生回路７１により１印字周期毎に発生される駆動波形を示す図である。波形発生回路７１は、４印字周期のうちの１印字周期に複合予備波形を発生し、４印字周期のうちの他の３印字周期に複合標準波形を発生する。
【００６１】
なお、本実施形態では、波形発生回路７１は、４印字周期のうち少なくとも３印字周期において、レスキュー滴吐出波形を含む複合標準波形を発生することができる。よって、波形発生回路７１は、液滴を吐出できないノズル（不吐出ノズル）の数に応じて、４印字周期のうち１〜３印字周期のいずれかに複合標準波形を発生してもよい。
【００６２】
図１４は、本実施形態に係る駆動波形により圧電素子が駆動されたときの液滴の大きさを示す図である。同図は、ノズルＣが液滴を吐出できないため、ノズルＣに隣接するノズルＢ及びノズルＤがレスキュー滴を吐出する場合を示している。
【００６３】
よって、第３の実施形態では、図５に示すスイッチ制御回路８１は、ノズルＢ及びノズルＤにそれぞれ対応する圧電素子Ｂ、圧電素子Ｄに複合標準波形が供給されるように、スイッチ素子ＳＷ２、ＳＷ４を制御する。このとき、複合標準波形は、不吐出ノズルＣから吐出されるはずの液滴の大きさの一部を覆うように、不吐出ノズルＣに隣接するノズルＢ、Ｄから吐出される液滴の大きさを制御する。
【００６４】
また、複合標準波形は１印字周期内に微振動駆動波形を含まず、複合予備波形は１印字周期内に微振動駆動波形を含んでいることから、波形の長さを最小限に短くできるので、駆動周波数を高くすることができる。
【００６５】
以上のように、第３の実施形態に係る画像形成装置は、４回のうち少なくとも３回の割合の１印字周期においてレスキュー滴吐出波形を含む複合標準波形を用いることができるので、不吐出ノズルが存在する場合であっても、十分カバーすることができる。また、上記画像形成装置は、微振動駆動波形を含む複合予備波形が連続しないようにしているので、横筋のような白抜け部分を抑制しつつ、印字品位を維持したまま画像を形成することができる。
【００６６】
なお、本発明は、上述した実施の形態に限定されるものではなく、特許請求の範囲に記載された範囲内で設計上の変更をされたものにも適用可能であるのは勿論である。
【図面の簡単な説明】
【００６７】
【図１】第１の実施形態の画像形成装置の構成を示す図である。
【図２】記録ヘッド装置部が上方へ移動したときのメンテナンスユニットの状態を示す図である。
【図３】帯電ロールを示す図である。
【図４】インク収容部の周辺部の構成を示す図である。
【図５】インク噴射記録ヘッド部の構成を示す回路図である。
【図６】（Ａ）微振動駆動波形Ｚ０、（Ｂ）小滴吐出波形Ｚ１、（Ｃ）大滴吐出波形Ｚ３を示す図である。
【図７】波形発生回路により１印字周期毎に発生される駆動波形を示す図である。
【図８】従来の均一の駆動波形により圧電素子が駆動されたときの液滴の大きさを示す図である。
【図９】第１の実施形態に係る駆動波形により圧電素子が駆動されたときの液滴の大きさを示す図である。
【図１０】（Ａ）微振動駆動波形、（Ｂ）小滴吐出波形、（Ｃ）中滴吐出波形、（Ｄ）大滴吐出波形を示す図である。
【図１１】波形発生回路により１印字周期毎に発生される駆動波形を示す図である。
【図１２】（Ａ）微振動駆動波形、（Ｂ）普通滴吐出波形、（Ｃ）レスキュー滴吐出波形を示す図である。
【図１３】波形発生回路により１印字周期毎に発生される駆動波形を示す図である。
【図１４】第３の実施形態に係る駆動波形により圧電素子が駆動されたときの液滴の大きさを示す図である。
【符号の説明】
【００６８】
７１  波形発生回路
８１  スイッチ制御回路
ＳＷ１、ＳＷ２、ＳＷ３、ＳＷ４、ＳＷ５、ＳＷ６  スイッチ素子
Ａ〜Ｄ  圧電素子
【図１】
2008179092.tif 000003
【図２】
2008179092.tif 000004
【図３】
2008179092.tif 000005
【図４】
2008179092.tif 000006
【図５】
2008179092.tif 000007
【図６】
2008179092.tif 000008
【図７】
2008179092.tif 000009
【図８】
2008179092.tif 000010
【図９】
2008179092.tif 000011
【図１０】
2008179092.tif 000012
【図１１】
2008179092.tif 000013
【図１２】
2008179092.tif 000014
【図１３】
2008179092.tif 000015
【図１４】
2008179092.tif 000016